(57)【要約】【課題】利用者および時間帯の組合せに応じて画像処理に用いる各機能の利用を規制する。【解決手段】受付部１１１は、例えば通信部１３から画像処理の指示を受付ける。特定部１１２は、受付部１１１が受付けた指示に含まれる利用者の識別情報により、その指示をした利用者を特定する。規制部１１３は、受付部１１１が受付けた指示にて指定された画像処理の準備が完了した時点において、その画像処理に用いる機能のいずれかがその指示をした利用者に利用を禁止されているか否かを、記憶部１２の禁止表１２２を参照することにより判断する。そして、この機能の利用が指示をした利用者に対して禁止されていると判断する場合、規制部１１３は、その画像処理を実行しないように画像処理装置２を規制する。規制部１１３による画像処理装置２の規制は、例えば通信部１３を介して制御信号を送ることで行われる。【選択図】図８
2018025991.tif 000002
【特許請求の範囲】
【請求項１】
画像処理の指示を受付ける受付部と、
画像処理装置に備わる複数の機能のそれぞれについて、利用者および時間帯の組合せごとに利用の可否を記憶する記憶部と、
前記画像処理に用いる機能のいずれかが前記記憶部において該指示をした利用者に利用を禁止されている場合、該画像処理を実行しないように前記画像処理装置を規制する規制部と、
を有する制御装置。
【請求項２】
前記規制部は、前記指示を受付けた時点において、該画像処理に用いる機能のいずれかが前記記憶部において該指示をした利用者に利用を禁止されている場合、該画像処理を実行しないように前記画像処理装置を規制する
ことを特徴とする請求項１に記載の制御装置。
【請求項３】
前記規制部は、前記指示された画像処理の実行を開始してから終了するまでのいずれかの時点において、該画像処理に用いる機能のいずれかが前記記憶部において該指示をした利用者に利用を禁止されている場合、該時点以後の該画像処理を実行しないように前記画像処理装置を規制する
ことを特徴とする請求項１または２に記載の制御装置。
【請求項４】
前記規制部は、前記指示された画像処理を実行すると、実行中に該画像処理に用いる機能のいずれかが前記記憶部において該指示をした利用者に利用を禁止されることが、該指示を受付けてから該画像処理の準備が完了するまでに推測される場合、該画像処理を実行しないように前記画像処理装置を規制する
ことを特徴とする請求項１から３のいずれか１項に記載の制御装置。
【請求項５】
前記記憶部は利用者の属するグループごとに前記利用の可否を記憶し、
前記規制部は、前記指示された画像処理に用いる機能のいずれかが、前記記憶部において該指示をした利用者の属するグループに利用を禁止されている場合、該画像処理を実行しないように前記画像処理装置を規制する
ことを特徴とする請求項１から４のいずれか１項に記載の制御装置。
【請求項６】
前記規制部は、前記画像処理装置を規制した場合に、前記指示された画像処理に用いる機能であって前記記憶部において前記利用者に利用が禁止されている第１機能を、許可されている第２機能で代替して前記画像処理を実行するように前記画像処理装置を制御する
ことを特徴とする請求項１から５のいずれか１項に記載の制御装置。
【請求項７】
前記規制部が前記第１機能を前記第２機能で代替して前記画像処理を実行するように前記画像処理装置を制御した場合に、該画像処理に用いる機能が代替されたことを報知する報知部、
を有することを特徴とする請求項６に記載の制御装置。
【請求項８】
前記記憶部は、前記規制部が前記画像処理装置を規制した場合に、前記第１機能を前記第２機能で代替するか否かを記憶し、
前記規制部は、前記記憶部に定められている場合に前記第１機能を前記第２機能で代替する
ことを特徴とする請求項６または７に記載の制御装置。
【請求項９】
前記受付部は、前記規制部が前記画像処理装置を規制した場合に、前記指示の修正を受付ける
ことを特徴とする請求項１から５のいずれか１項に記載の制御装置。
【請求項１０】
画像処理の指示を受付ける受付部と、
受付けられた前記指示に応じて画像処理を実行する画像処理部と、
前記画像処理部に備わる複数の機能のそれぞれについて、利用者および時間帯の組合せごとに利用の可否を記憶する記憶部と、
前記画像処理に用いる機能のいずれかが前記記憶部において該指示をした利用者に利用を禁止されている場合、該画像処理を実行しないように前記画像処理部を規制する規制部と、
を有する画像処理装置。
【請求項１１】
画像処理装置を制御するコンピュータを、
画像処理の指示を受付ける受付部と、
前記画像処理装置に備わる複数の機能のそれぞれについて、利用者および時間帯の組合せごとに利用の可否を記憶する記憶部と、
前記画像処理に用いる機能のいずれかが前記記憶部において該指示をした利用者に利用を禁止されている場合、該画像処理を実行しないように前記画像処理装置を規制する規制部
として機能させるためのプログラム。
【発明の詳細な説明】
【技術分野】
【０００１】
本発明は、制御装置、画像処理装置およびプログラムに関する。
【背景技術】
【０００２】
特許文献１には、ユーザが予め選択権限を有していない課金先情報を一時的に選択可能にする一時選択権限情報をユーザに対して附与するとともに印刷管理装置に送信して、その印刷管理装置が一時選択権限情報を正しく受付けているか否かを判定することで印刷を実行させるか否かを決める印刷管理システムが開示されている。
【先行技術文献】
【特許文献】
【０００３】
【特許文献１】特開２０１３−１７５２０５号公報
【発明の概要】
【発明が解決しようとする課題】
【０００４】
本発明は、利用者および時間帯の組合せに応じて画像処理に用いる各機能の利用を規制することを目的とする。
【課題を解決するための手段】
【０００５】
上述した課題を解決するため、本発明の請求項１に係る制御装置は、画像処理の指示を受付ける受付部と、画像処理装置に備わる複数の機能のそれぞれについて、利用者および時間帯の組合せごとに利用の可否を記憶する記憶部と、前記画像処理に用いる機能のいずれかが前記記憶部において該指示をした利用者に利用を禁止されている場合、該画像処理を実行しないように前記画像処理装置を規制する規制部と、を有する。
【０００６】
本発明の請求項２に係る制御装置は、請求項１に記載の態様において、前記規制部は、前記指示を受付けた時点において、該画像処理に用いる機能のいずれかが前記記憶部において該指示をした利用者に利用を禁止されている場合、該画像処理を実行しないように前記画像処理装置を規制することを特徴とする。
【０００７】
本発明の請求項３に係る制御装置は、請求項１または２に記載の態様において、前記規制部は、前記指示された画像処理の実行を開始してから終了するまでのいずれかの時点において、該画像処理に用いる機能のいずれかが前記記憶部において該指示をした利用者に利用を禁止されている場合、該時点以後の該画像処理を実行しないように前記画像処理装置を規制することを特徴とする。
【０００８】
本発明の請求項４に係る制御装置は、請求項１から３のいずれか１項に記載の態様において、前記規制部は、前記指示された画像処理を実行すると、実行中に該画像処理に用いる機能のいずれかが前記記憶部において該指示をした利用者に利用を禁止されることが、該指示を受付けてから該画像処理の準備が完了するまでに推測される場合、該画像処理を実行しないように前記画像処理装置を規制することを特徴とする。
【０００９】
本発明の請求項５に係る制御装置は、請求項１から４のいずれか１項に記載の態様において、前記記憶部は利用者の属するグループごとに前記利用の可否を記憶し、前記規制部は、前記指示された画像処理に用いる機能のいずれかが、前記記憶部において該指示をした利用者の属するグループに利用を禁止されている場合、該画像処理を実行しないように前記画像処理装置を規制することを特徴とする。
【００１０】
本発明の請求項６に係る制御装置は、請求項１から５のいずれか１項に記載の態様において、前記規制部は、前記画像処理装置を規制した場合に、前記指示された画像処理に用いる機能であって前記記憶部において前記利用者に利用が禁止されている第１機能を、許可されている第２機能で代替して前記画像処理を実行するように前記画像処理装置を制御することを特徴とする。
【００１１】
本発明の請求項７に係る制御装置は、請求項６に記載の態様において、前記規制部が前記第１機能を前記第２機能で代替して前記画像処理を実行するように前記画像処理装置を制御した場合に、該画像処理に用いる機能が代替されたことを報知する報知部、を有することを特徴とする。
【００１２】
本発明の請求項８に係る制御装置は、請求項６または７に記載の態様において、前記記憶部は、前記規制部が前記画像処理装置を規制した場合に、前記第１機能を前記第２機能で代替するか否かを記憶し、前記規制部は、前記記憶部に定められている場合に前記第１機能を前記第２機能で代替することを特徴とする。
【００１３】
本発明の請求項９に係る制御装置は、請求項１から５のいずれか１項に記載の態様において、前記受付部は、前記規制部が前記画像処理装置を規制した場合に、前記指示の修正を受付けることを特徴とする。
【００１４】
本発明の請求項１０に係る画像処理装置は、画像処理の指示を受付ける受付部と、受付けられた前記指示に応じて画像処理を実行する画像処理部と、前記画像処理部に備わる複数の機能のそれぞれについて、利用者および時間帯の組合せごとに利用の可否を記憶する記憶部と、前記画像処理に用いる機能のいずれかが前記記憶部において該指示をした利用者に利用を禁止されている場合、該画像処理を実行しないように前記画像処理部を規制する規制部と、を有する。
【００１５】
本発明の請求項１１に係るプログラムは、画像処理装置を制御するコンピュータを、画像処理の指示を受付ける受付部と、前記画像処理装置に備わる複数の機能のそれぞれについて、利用者および時間帯の組合せごとに利用の可否を記憶する記憶部と、前記画像処理に用いる機能のいずれかが前記記憶部において該指示をした利用者に利用を禁止されている場合、該画像処理を実行しないように前記画像処理装置を規制する規制部として機能させるためのプログラムである。
【発明の効果】
【００１６】
請求項１、１０、１１に係る発明によれば、利用者および時間帯の組合せに応じて画像処理に用いる各機能の利用を規制することができる。
請求項２に係る発明によれば、画像処理の指示を受付けた時点でその画像処理に用いる各機能の利用を規制することができる。
請求項３に係る発明によれば、画像処理の実行を開始してから終了するまでのいずれかの時点でその画像処理に用いる各機能の利用を規制することができる。
請求項４に係る発明によれば、画像処理の指示を受付けてからその画像処理の準備が完了するまでの推測によりその画像処理に用いる各機能の利用を規制することができる。
請求項５に係る発明によれば、利用者の属するグループおよび時間帯の組合せに応じて画像処理に用いる各機能の利用を規制することができる。
請求項６に係る発明によれば、画像処理に用いる各機能の利用を規制する際に、機能を代替した画像処理を実行させることができる。
請求項７に係る発明によれば、機能を代替した画像処理を実行させたことを利用者に知らせることができる。
請求項８に係る発明によれば、画像処理に用いる各機能の利用を規制する際にその機能を代替した画像処理を実行させるか否かについて、予め決めておくことができる。
請求項９に係る発明によれば、画像処理に用いる各機能の利用が規制される際に、利用者はその画像処理の指示を修正することができる。
【図面の簡単な説明】
【００１７】
【図１】本実施形態に係る画像処理システム９の全体構成を示す図。
【図２】画像処理装置２の構成を示す図。
【図３】サーバ装置１の構成を示す図。
【図４】機能表１２１の一例を示す図。
【図５】禁止表１２２の一例を示す図。
【図６】規則表１２３の一例を示す図。
【図７】端末３の構成の一例を示す図。
【図８】サーバ装置１の機能的構成を示す図。
【図９】サーバ装置１の動作の流れを説明するフロー図。
【図１０】変形例１に係る禁止表１２２の一例を示す図。
【発明を実施するための形態】
【００１８】
１．実施形態
１−１．画像処理システムの全体構成
図１は、本実施形態に係る画像処理システム９の全体構成を示す図である。画像処理システム９は、例えばＬＡＮ（Local Area Network）を構成する通信回線４と、この通信回線４に接続されたサーバ装置１、および端末３を有する。また、画像処理システム９は、サーバ装置１と接続し、このサーバ装置１によって制御される画像処理装置２を有する。なお画像処理装置２は、サーバ装置１によって制御されていれば通信回線４と接続されていてもよい。通信回線４はＷＡＮ（Wide Area Network）、公衆電話回線等を含んでいてもよい。
【００１９】
図１に示す端末３は、通信回線４およびサーバ装置１を介して画像処理装置２と接続するように構成された情報処理装置である。画像処理システム９が有する端末３は図１に示す通り１つであってもよいし、複数であってもよい。端末３は、通信回線４を介してサーバ装置１と接続し、サーバ装置１を介して画像処理装置２に画像を処理する指示を与える。
【００２０】
図１に示す画像処理装置２は、端末３から受けた指示に従って画像を処理する装置である。画像処理システム９が有する画像処理装置２は図１に示す通り１つであってもよいし、複数であってもよい。
【００２１】
１−２．画像処理装置の構成
図２は、画像処理装置２の構成を示す図である。画像処理装置２は、制御部２１、記憶部２２、通信部２３、および画像処理部２５を有する。制御部２１は、ＣＰＵ（Central Processing Unit）、ＲＯＭ（Read Only Memory）、ＲＡＭ（Random Access Memory）を有し、ＣＰＵがＲＯＭや記憶部２２に記憶されているコンピュータプログラム（以下、単にプログラムという）を読み出して実行することにより画像処理装置２の各部を制御する。
【００２２】
記憶部２２は、ハードディスクドライブ等の大容量の記憶手段であり、制御部２１のＣＰＵに読み込まれる各種のプログラムを記憶する。また、記憶部２２は、端末３から送られた、画像を示す画像データを記憶してもよい。
【００２３】
通信部２３は、有線または無線によりサーバ装置１に接続する通信回路である。また、通信部２３は、通信回線４と接続する機能を有していてもよい。通信部２３は、通信回線４を介してサーバ装置１に接続する場合、サーバ装置１に直接、接続しなくてもよい。
【００２４】
画像処理部２５は、例えば電子写真方式や熱転写方式、インクジェット方式等によって用紙等の媒体に画像を形成する処理を実行する。画像処理部２５は、用紙等の媒体上に形成された画像を光学的に読取る画像読取（スキャナ）の機能を有していてもよい。また、画像処理部２５は、図示しない公衆電話回線に接続し、画像データを他の装置に送る画像送信（ファクシミリ）の機能も有していてもよい。
【００２５】
画像処理部２５において実行される画像処理は、画像処理部２５に備わる複数の機能のいずれかを用いて実行される。一の画像処理には、この画像処理を実行する際に用いられる一または複数の機能が対応付けられる。
【００２６】
１−３．サーバ装置の構成
図３は、サーバ装置１の構成を示す図である。サーバ装置１は、画像処理装置２と直接または通信回線４を介して接続し、画像処理装置２を制御する制御装置の一例である。サーバ装置１は、制御部１１、記憶部１２、および通信部１３を有する。サーバ装置１は、他に利用者の操作を受付ける操作部や、利用者に画像等を表示する表示部を有していてもよい。
【００２７】
制御部１１は、ＣＰＵ、ＲＯＭ、ＲＡＭを有し、ＣＰＵがＲＯＭや記憶部１２に記憶されているプログラムを読み出して実行することによりサーバ装置１の各部を制御する。
【００２８】
通信部１３は、有線または無線により画像処理装置２に接続する通信回路である。また、通信部１３は、有線または無線により通信回線４に接続する。通信部１３は、この通信回線４を介して画像処理装置２に接続してもよい。
【００２９】
記憶部１２は、ハードディスクドライブ等の大容量の記憶手段であり、制御部１１のＣＰＵに読み込まれる各種のプログラムを記憶する。また、記憶部１２は、機能表１２１、禁止表１２２を記憶する。記憶部１２は、図３において破線で示す規則表１２３を記憶してもよい。
【００３０】
機能表１２１は、サーバ装置１が受付ける指示により示される画像処理の処理名と、その画像処理の実行に用いられる機能を識別するための機能番号とを対応付けた表である。すなわち、或る処理名で識別される画像処理は、機能表１２１においてその処理名に対応する欄に「ＹＥＳ」と記述された機能番号で識別される機能を用いる処理であり、「ＮＯ」と記述された機能番号で識別される機能を用いない処理である。
【００３１】
図４は、機能表１２１の一例を示す図である。例えば図４に示す機能表１２１の場合、処理名「ＪＡ」の画像処理には、機能番号「１」，「２」，「３」，「４」で識別される機能が用いられるが、機能番号「５」，「６」，「７」で識別される機能は用いられない。図４では複数（７つ）の機能番号を示しているが、機能番号が１つだけ対応付けられていてもよい。
【００３２】
禁止表１２２は、画像処理装置２に備わる複数の機能のそれぞれについて、利用者および時間帯の組合せごとに利用の可否を記憶した表である。例えば禁止表１２２には、或る時間帯において利用者に利用が許可された機能の識別情報である機能番号が、その利用者とその時間帯の組合せごとに記述される。すなわち、禁止表１２２において利用者と時間帯との組合せに対応する欄に記述されていない機能番号が、その時間帯においてその利用者に対し利用を禁止されている機能を示す機能番号である。
【００３３】
図５は、禁止表１２２の一例を示す図である。図５に示す禁止表１２２は、利用者を識別する利用者名と、時間帯を識別する区画と、その時間帯において、その利用者名で識別される利用者に許可された機能の識別情報である機能番号と、が対応付けて記憶されている。図５に示す禁止表１２２では、時間帯は午前および午後の２つに区画されている。そして、午前と午後で各利用者に対し許可されている機能の機能番号が異なっていてもよい。
【００３４】
例えば図５に示す禁止表１２２によると、利用者名「ＵＣ」で識別される利用者は、午前には機能番号「１」，「２」，「３」，「４」，「５」で識別される機能の利用が許可されており、午後には機能番号「１」，「２」，「３」，「４」で識別される機能の利用が許可されている。すなわち、利用者名「ＵＣ」で識別される利用者は、午後になると午前に許可されていた機能番号「５」の機能の利用が禁止される。この構成によれば、サーバ装置１は、画像処理を実行する時間帯に応じて利用者に対して制限する機能を変化させる。
【００３５】
なお、禁止表１２２に記述された時間帯の区画は利用者ごとに異なっていてもよい。また、時間帯の区画は午前および午後の２つに限られず、３つ以上に区画されてもよい。各区画はそれぞれ長さが異なっていてもよい。利用者に定められた時間帯の区画は、例えば午前０時から午前８時まで、午前８時から午後５時まで、午後５時から午後７時まで、午後７時から午前０時までのそれぞれ長さの異なる４つに区画されていてもよい。それぞれの区画は曜日や日付に応じて変化してもよい。
【００３６】
図６は、規則表１２３の一例を示す図である。規則表１２３は、対象とする機能を示す対象機能番号と、その機能が禁止された場合にその機能を代替する機能として許可されている機能を示す代替機能番号と、を対応付けて記憶する。
【００３７】
例えば図６に示す規則表１２３において、機能番号「４」の機能が禁止された場合、機能番号「５」の機能が代替する機能として利用される。この規則は利用者ごとに定められていてもよい。
【００３８】
１−４．端末の構成
図７は、端末３の構成の一例を示す図である。端末３は、制御部３１と、記憶部３２と、通信部３３と、表示部３４と、操作部３５とを有する。
【００３９】
制御部３１は、ＣＰＵ、ＲＯＭ、ＲＡＭを有し、ＣＰＵがＲＯＭや記憶部３２に記憶されているプログラムを読み出して実行することにより端末３の各部を制御する。
【００４０】
通信部３３は、例えばＩＥＥＥ８０２．１１に準拠した方式により、無線アクセスポイントを介して通信回線４に接続する通信回路である。通信部３３は、無線に限らず有線により通信回線４に接続してもよい。端末３は、通信部３３により通信回線４およびサーバ装置１を介して画像処理装置２と情報をやり取りする。
【００４１】
操作部３５は、各種の指示を入力するための操作ボタン等の操作子を備えており、利用者による操作を受付けてその操作内容に応じた信号を制御部３１に供給する。また、操作部３５は、利用者の指やスタイラスペンなどの操作体を検知するタッチパネルを有していてもよい。
【００４２】
表示部３４は、液晶ディスプレイを有しており、制御部３１の制御の下、画像を表示する。表示部３４の液晶ディスプレイの上には、操作部３５の透明のタッチパネルが重ねて配置されてもよい。
【００４３】
１−５．サーバ装置の機能的構成
図８は、サーバ装置１の機能的構成を示す図である。サーバ装置１は、制御部１１が記憶部１２に記憶されたプログラムを実行することにより、図８に示す受付部１１１、および規制部１１３として機能する。また、制御部１１は、プログラムを実行することにより、図８に破線で示す特定部１１２、および報知部１１４として機能してもよい。
【００４４】
受付部１１１は、例えば通信部１３から画像処理の指示を受付ける。この画像処理の指示は、例えば端末３から通信回線４を介して通信部１３に届けられたものであり、受付部１１１は、この指示を受付けると、指示をした利用者の識別情報と、その指示の内容（例えば処理する画像を示す画像データやその画像を処理する際の設定等）とを受取る。利用者の識別情報とは、端末３を利用する利用者のユーザＩＤ等である。
【００４５】
特定部１１２は、受付部１１１が受付けた指示に含まれる利用者の識別情報により、その指示をした利用者を特定する。受付けた指示に利用者を証明するパスワード等の認証情報がある場合、特定部１１２は利用者の識別情報と認証情報との組に基づいて利用者を認証してもよい。また、特定部１１２は、通信部１３を介してこの組を外部の認証装置に送り、認証を行わせてもよい。なお、利用者の特定は受付部１１１が行ってもよく、この場合、特定部１１２はなくてもよい。
【００４６】
規制部１１３は、受付部１１１が受付けた指示にて指定された画像処理の準備が完了した時点において、その画像処理に用いる機能のいずれかがその指示をした利用者に利用を禁止されているか否かを、記憶部１２の禁止表１２２を参照することにより判断する。
【００４７】
すなわち、規制部１１３は、上述した画像処理の準備が完了した時点でＣＰＵ等に備えられた時計を参照して時刻を特定し、その時刻が含まれる時間帯と上述した利用者との組合せに対応付けて禁止表１２２に記述されている機能番号と、上述した画像処理に用いる機能を示す機能番号とを比較して、いずれかの機能の利用が指示をした利用者に対して禁止されているか否かを判断する。
【００４８】
そして、画像処理に用いるいずれかの機能の利用が指示をした利用者に対して禁止されていると判断する場合、規制部１１３は、その画像処理を実行しないように画像処理装置２を規制する。規制部１１３による画像処理装置２の規制は、例えば通信部１３を介して制御信号を送ることで行われる。
【００４９】
また、規制部１１３は、画像処理装置２を規制した場合に、指示された画像処理に用いる機能であって記憶部１２においてその指示をした利用者に利用が禁止されている機能（第１機能という）を、許可されている機能（第２機能という）で代替して画像処理を実行するように画像処理装置２を制御してもよい。この場合、規制部１１３は、記憶部１２の規則表１２３を参照し、上述した第１機能の機能番号が規則表１２３の対称機能番号の欄に記述されているのであれば、これに対応付けられた代替機能番号を読み出して、その代替機能番号で識別される機能を第２機能として特定する。そして、規制部１１３は、第１機能を特定した第２機能で代替して画像処理を実行するよう画像処理装置２を制御すればよい。
【００５０】
報知部１１４は、規制部１１３が第１機能を第２機能で代替して画像処理を実行するように画像処理装置を制御した場合に、この画像処理に用いる機能が代替されたことを端末３の利用者に報知する。この報知は、制御部１１が通信部１３を介して端末３にこの内容を送信することで行われる。なお、規制部１１３が第１機能を第２機能で代替した場合に制御部１１はその旨を利用者に報知しなくてもよい。すなわち、報知部１１４はなくてもよい。
【００５１】
１−６．サーバ装置の動作
図９は、サーバ装置１の動作の流れを説明するフロー図である。サーバ装置１の制御部１１は、端末３から画像処理の指示を受付けたか否かを判断し（ステップＳ１０１）、指示を受付けていないと判断する間（ステップＳ１０１；ＮＯ）、この判断を続ける。制御部１１は、画像処理の指示を受付けたと判断すると（ステップＳ１０１；ＹＥＳ）、その指示をした利用者についての認証が成功したか否かを判断する（ステップＳ１０２）。
【００５２】
認証が失敗したと判断した場合（ステップＳ１０２；ＮＯ）、制御部１１は、認証が失敗した旨の通知をするように利用者の操作した端末３へ制御信号を送信する（ステップＳ１０３）。端末３はこの制御信号を受信すると、例えば認証が失敗した旨を表示部３４に表示させて利用者に報知する。
【００５３】
認証が成功したと判断した場合（ステップＳ１０２；ＹＥＳ）、制御部１１は、認証された利用者の識別情報と、受付けた指示により指定される画像処理の識別情報（図４における「処理名」）とに基づいて、その画像処理に用いられるいずれかの機能の利用が、その画像処理の準備が完了した時点において、その利用者に禁止されているか否かを判断する（ステップＳ１０４）。
【００５４】
受付けた指示により指定される画像処理に用いられるいずれかの機能の利用が、その画像処理の準備が完了した時点において、その指示をした利用者に禁止されていないと判断する場合（ステップＳ１０４；ＮＯ）、制御部１１は、その指示が示す画像処理を実行する（ステップＳ１０５）。その機能の利用がその時点においてその利用者に禁止されていると判断する場合（ステップＳ１０４；ＹＥＳ）、制御部１１は、画像処理装置２に指示された画像処理を実行させず、利用が禁止されているその機能を、許可されている他の機能で代替した画像処理を実行させる（ステップＳ１０６）。
【００５５】
また、指示された画像処理に用いられる機能のいずれかを代替して実行させた場合、制御部１１は、画像処理に用いる機能が代替されたことを報知する（ステップＳ１０７）。
【００５６】
以上の動作により、画像処理システム９のサーバ装置１は、利用者および時間帯の組合せに応じて画像処理に用いる各機能の利用を規制する。
【００５７】
２．変形例
以上が実施形態の説明であるが、この実施形態の内容は以下のように変形し得る。また、以下の変形例を組み合わせてもよい。
【００５８】
２−１．変形例１
上述した実施形態において禁止表１２２は、利用者に利用が許可された機能の機能番号が、その利用者の利用者名に対応付けて記述されていた。すなわち、実施形態の禁止表１２２において利用者と時間帯との組合せに対応する欄に記述されていない機能番号が、その時間帯においてその利用者に対し利用を禁止されている機能を示す機能番号であったが、禁止表１２２の上述した欄には、その時間帯のその利用者に利用が禁止されている機能の機能番号が記述されていてもよい。要するに、禁止表１２２に基づいて、媒体を収容する複数の機能のそれぞれについて、利用者ごとに利用の可否が判断されればよい。
【００５９】
２−２．変形例２
上述した実施形態において規制部１１３は、指示された画像処理の準備が完了した時点で、画像処理に用いる機能の利用が禁止されているか否かを判断していたが、判断の時期はこれに限られない。例えば、規制部１１３は、指示を受付けた時点において、指示された画像処理に用いる機能のいずれかが禁止表１２２においてその指示をした利用者に利用を禁止されているか否か判断してもよい。そして上述した機能の利用が禁止されていると判断する場合、規制部１１３は、上述した画像処理を実行しないように画像処理装置２を規制すればよい。
【００６０】
２−３．変形例３
また、規制部１１３は、指示された画像処理の実行を開始してから終了するまでの期間にわたって、この画像処理に用いる機能のいずれかが禁止表１２２においてこの指示をした利用者に利用を禁止されているか否か判断してもよい。そして、上述した画像処理の実行を開始してから終了するまでのいずれかの時点において、この画像処理に用いる機能のいずれかが禁止表１２２においてこの指示をした利用者に利用を禁止されていると判断する場合、規制部１１３は、この時点以後、この画像処理を実行しないように画像処理装置２を規制すればよい。
【００６１】
２−４．変形例４
また、禁止表１２２に記述された時間帯の比較対象が画像処理の実行時であっても、予め実行時より前に禁止すべきことがわかっている場合には、規制部１１３はその画像処理を実行しないように画像処理装置２を規制してもよい。つまり、規制部１１３は、指示された画像処理を実行すると、実行中にその画像処理に用いる機能のいずれかが禁止表１２２においてその指示をした利用者に利用を禁止されることが、その指示を受付けてからその画像処理の準備が完了するまでに推測される場合、その画像処理を実行しないように画像処理装置２を規制してもよい。
【００６２】
２−５．変形例５
上述した実施形態において禁止表１２２には、利用者ごとに機能の利用の可否が記述されていたが、利用者の属するグループごとに機能の利用の可否が記述されていてもよい。
【００６３】
図１０は、変形例１に係る禁止表１２２の一例を示す図である。図１０に示す禁止表１２２は、第１禁止表１２２１と第２禁止表１２２２とを含む。第１禁止表１２２１は、利用者の属するグループを識別するグループ名とそのグループに利用が許可されている機能の識別情報である機能番号とを時間帯ごとに対応付けて記述する表である。第２禁止表１２２２は、利用者を識別する利用者名とその利用者が属するグループのグループ名とを対応付けて記述する表である。
【００６４】
この場合、規制部１１３は、受付けた指示にて指定された画像処理に用いられるいずれかの機能の利用が、禁止表１２２においてその指示をした利用者の属するグループに対して禁止されている場合、その指示に従った画像処理を実行しないように画像処理装置２を規制すればよい。
【００６５】
なお、禁止表１２２が、機能の利用の可否についてグループごとおよび利用者ごとの両方を定めていてもよい。利用者に対して、またはその利用者が属するグループに対して、少なくとも一方で利用が禁止されている機能がある場合、規制部１１３は、その機能を用いる画像処理を実行しないように画像処理装置２を規制すればよい。
【００６６】
２−６．変形例６
上述した実施形態において、規制部１１３は、画像処理装置２を規制した場合に、その画像処理に用いる第１機能を利用者に許可されている第２機能で代替して画像処理を実行するように画像処理装置２を制御していたが、代替は行わなくてもよい。
【００６７】
また、代替を行うか否かを予め記憶していてもよい。すなわち、記憶部１２は、規制部１１３が画像処理装置２を規制した場合に、上述した第１機能を第２機能で代替するか否かを記憶していてもよい。この場合、規制部１１３は、記憶部１２に定められている場合に、上述した第１機能を第２機能で代替して画像処理を画像処理装置２に実行させる。
【００６８】
２−７．変形例７
受付部１１１は、規制部１１３が画像処理装置２を規制した場合に、受付けた指示の修正を受付けてもよい。この構成において、規制された指示にて指定されている機能を、利用者に許可されている機能で代替する修正を利用者がすると、画像処理装置２では修正された指示に従って画像処理が実行される。
【００６９】
２−８．変形例８
上述した実施形態において、サーバ装置１と画像処理装置２とは別体であったが、サーバ装置１の機能を画像処理装置２が有していてもよい。この場合、画像処理装置２の制御部２１および記憶部２２が、画像処理装置２を制御する制御装置として機能すればよい。
【００７０】
２−９．変形例９
サーバ装置１の制御部１１によって実行されるプログラムは、磁気テープや磁気ディスク等の磁気記録媒体、光ディスク等の光記録媒体、光磁気記録媒体、半導体メモリ等の、コンピュータ装置が読取り可能な記録媒体に記憶された状態で提供し得る。また、このプログラムを、インターネット等の通信回線経由でダウンロードさせることも可能である。なお、上記の制御部１１によって例示した制御手段としてはＣＰＵ以外にも種々の装置が適用される場合があり、例えば、専用のプロセッサ等が用いられる。
【符号の説明】
【００７１】
１…サーバ装置、１１…制御部、１１１…受付部、１１２…特定部、１１３…規制部、１１４…報知部、１２…記憶部、１２１…機能表、１２２…禁止表、１２２１…第１禁止表、１２２２…第２禁止表、１２３…規則表、１３…通信部、２…画像処理装置、２１…制御部、２２…記憶部、２３…通信部、２５…画像処理部、３…端末、３１…制御部、３２…記憶部、３３…通信部、３４…表示部、３５…操作部、４…通信回線、９…画像処理システム。
【図１】
2018025991.tif 000003
【図２】
2018025991.tif 000004
【図３】
2018025991.tif 000005
【図４】
2018025991.tif 000006
【図５】
2018025991.tif 000007
【図６】
2018025991.tif 000008
【図７】
2018025991.tif 000009
【図８】
2018025991.tif 000010
【図９】
2018025991.tif 000011
【図１０】
2018025991.tif 000012